(57)【要約】【課題】  親ドアと子ドアが継手を介して互いに折畳み可能に連結された折戸であって、緊急事態が発生した際には親ドアを単独で開くことが出来る折戸装置の提供。【解決手段】  親ドア１の上端には回転プレート１１を回転可能に取着し、回転プレート１１の一方端にて親ドア上端に載置して起立した軸１０を支え、回転プレート先端係合溝１５には上方へ弾性力が付勢された係合ピン１３を係合させ、上記軸１０の上端をスライダー８に形成した穴に嵌め、係合ピン１３を係合溝１５から外すと共に回転プレート１１を回転することで上記軸１０をスライダー８から抜き取ることで親ドアを単独で回転可能にしている。【選択図】    図３
2006037609.tif 000002
【特許請求の範囲】
【請求項１】
親ドアと子ドアが継手を介して互いに折畳み可能に連結され、子ドアは枠体の縦桟側に軸支されると共に、間口上部の上レールに遊嵌してスライドするスライダーを親ドア上端に取着して開閉する折戸装置において、上記スライダーと親ドアを連結する為の軸を取外し可能な構造としたことを特徴とする折戸装置。
【請求項２】
親ドア上端には回転プレートを回転可能に取着し、回転プレートの一方端にて親ドア上端に載置して起立した軸を支え、回転プレート先端係合溝には上方へ弾性力が付勢された係合ピンを係合させ、上記軸の上端をスライダーに形成した穴に嵌め、係合ピンを係合溝から外すと共に回転プレートを回転することで上記軸をスライダーから抜き取るようにした請求項１記載の折戸装置。
【請求項３】
親ドアと子ドアが継手を介して互いに折畳み可能に連結され、子ドアは枠体の縦桟側に軸支されると共に、間口上部の上レールに遊嵌してスライドするスライダーを親ドア上端に取着して開閉する折戸装置において、上記スライダーと親ドアを連結する為の軸を該親ドアから分離可能な構造としたことを特徴とする折戸装置。
【請求項４】
親ドア上端にはスライダーと連結する軸を起立したプレートを取着し、該プレートを取外すことで上記軸を親ドアから分離可能にした請求項３記載の折戸装置。
【請求項５】
親ドアと子ドアが継手を介して互いに折畳み可能に連結され、子ドアは枠体の縦桟側に軸支されると共に、間口上部の上レールに遊嵌してスライドするスライダーを親ドアから上方へ突出する軸に取着して開閉する折戸装置において、上記軸にはバネが取付けられると共に押下げることで上レールからスライダーを離脱可能な構造としたことを特徴とする折戸装置。
【発明の詳細な説明】
【技術分野】
【０００１】
本発明は親ドアと子ドアを連結して開閉することが出来る折戸であって、緊急時には親ドアを折畳んで開くことが出来るようにした折戸装置に関するものである。
【背景技術】
【０００２】
図９は従来の一般的な折戸の開閉動作を示し、該折れ戸は親ドア(イ)と子ドア(ロ)から成って互いに折畳み出来るように間には蝶番などの継手が設けられている。そして子ドア(ロ)は吊元側に設けている軸(ハ)に回転自在に取付けられ、親ドア(イ)の上端に設けているスライダーが上レールに沿って移動することが出来、その為に同図に示すような軌跡を伴って開閉することが出来る。
【０００３】
出入り口に装着されて開閉する折戸は開き戸に比較して開閉操作が容易である。特に出入り口の幅が大きな場合、開き戸を装着するならば開き戸の先端持ち手を握って開閉する場合、吊元の軸を中心とする回転半径が大きくなって操作がし難い。これに対して折戸であれば、同図に示すように上レールに沿っての移動である為に比較的操作が簡単となる。
【０００４】
ところで、該折戸の用途は限定しないが、トイレの入口ドアとして利用される場合が多い。折戸は上記のように開閉操作が便利であると共に、折畳んだ場合の開口が大きくなる為に、車椅子に乗った身体障害者にとっては特に便利である。折戸はトイレ内に入ってロックされ、外からは開くことが出来ないのが一般的であり、外から自由に開くことが出来るのではロック装置の意味をなさないが、外からロックを解除して開くことが出来る非常用の解除手段が設けられている。
【０００５】
しかし、折戸をロックしてトイレに入ったところで身体の具合が悪く成ってしまい、該折戸の内側に面して倒れこんでしまった際には、非常用のロック解除手段を用いて解除したとしても、折戸を開くことが出来ない。すなわち、図９に示すように折戸が内側へ張出して折畳むことが出来なくなる。このような緊急事態が発生したときであっても、親ドア(イ)を外側へ回動して開くことが出来るような折戸装置が望まれる。
【０００６】
特開２００１−３２３７１７号に係る「扉緊急開放具及びこれを備えた開閉扉」は、緊急時に迅速に扉を開放可能にすることが出来るように構成している。しかし、この扉とは出入り口一杯に嵌る１枚の大きな扉が回転しながらスライドして開閉することが出来るものであり、該扉はスイングする支持アームに支持されると共に、扉上端には上レールを走行するガイドローラが突出した状態で取着されている。
【０００７】
そこで、緊急時には上記ガイドローラを上レールから離脱ことが出来る構造と成っているが、ガイドローラを上レールから外すことで、大きな扉は支持アーム先端の軸を中心として旋回することが出来る。すなわち同公報の図７に示すように回転して間口を開くことが出来る。しかし、同図から明らかなごとく、扉の大半は外側へ張出して旋回するが、約１／３の扉は内側に旋回する。従って、人がこの場所に倒れたり、車椅子が位置している場合には、ガイドローラを上レールから離脱しても該扉を開くことが出来ない事態が発生する。
【特許文献１】特開２００１−３２３７１７号に係る「扉緊急開放具及びこれを備えた開閉扉」
【発明の開示】
【発明が解決しようとする課題】
【０００８】
このように、従来の折戸装置には上記のごとき問題がある。本発明が解決しようとする課題はこれら問題点であり、緊急事態が発生した場合、該折戸の親ドアを外から開くことが出来るようにした折戸装置を提供する。
【課題を解決するための手段】
【０００９】
本発明の折戸装置は親ドアと子ドアとで構成し、子ドアは吊元側に継手を介して取付けられ、親ドアは継手を介して子ドアと折畳み可能に連結されている。すなわち、折戸としての基本構造は従来と同じである。そして、親ドアの上端にはスライダーが上方へ突出して設けられ、このスライダーは間口上部の上レールにスライド可能に遊嵌している。
【００１０】
従って、親ドアは上レールに沿って回転しながら移動し、子ドアは吊元継手を中心として回転することで折戸は折畳まれる。ここで、上記スライダーとして上レールを走行する吊車を取着することもあるが、子ドアには戸当りが取着されている為に、内側へ張出して折畳まれる。ところで、本発明では上記スライダーを親ドアから分離可能な構造としている。また、スライダー自体を上レールから外れる構造としている。従って、何れの場合も親ドアは子ドアとの継手を中心として回動することが出来、親ドアが単独で外側へ張出して折畳まれる。
【発明の効果】
【００１１】
本発明の折戸は親ドアが単独で折畳むことが出来る構造と成っている。すなわち、親ドアの上端に取着されているスライダーと分離可能な構造と成っている為に、該親ドアは上レールから離れて単独で折畳まれる。しかも、親ドアの折畳み動作において内側へ張出す部分は何もなく、折戸の内側に面して人が倒れた場合であっても、親ドアの回転に伴う障害物が無い為に迅速に助け出すことが可能と成る。
【実施例】
【００１２】
図１は本発明の折戸装置の平面図であり、(ａ)は折戸が折畳まれて開口している場合、(ｂ)は折戸が伸長して間口を閉じている場合を表している。同図の１は親ドア、２は子ドアを表し、該親ドア１と子ドア２は継手３を介して折畳み出来るように連結され、子ドア２は間口(入口)に嵌った枠体の縦桟５に設けている軸４に軸支されている。そして、親ドア１の先端側と継手側には開閉操作用のハンドル６，６が取付けられ、親ドア１の内側にはロックツマミ７を有している。
【００１３】
そこで、(ｂ)のように伸長したところでロックツマミ７を廻してロックすることが出来、外からは開くことが出来ないようになる。しかし、親ドア１の表側には該ロックツマミ７を回転する為の小さな溝穴を設けている。従って、該溝穴に工具を嵌めて回転するならば、上記ロックツマミ７が回転してロックが解除される。このように、異常事態が発生したときには、外からロックが解除される構造と成っている。
【００１４】
しかし、ロックを解除して折戸を折畳み開口するには、図９に示すように親ドア(イ)及び子ドア(ロ)は内側へ張出すことが必要であり、継手部付近に人が倒れている場合には、外からロックを解除しても折戸を折畳んで開くことは出来ない。そこで、本発明では図２に示すように親ドア１を単独で外側へ回動して折畳むことが出来る構造としている。この場合、子ドア２には戸当り２２が取着されている為に外側へ張出して開くことは出来ず、しかも、親ドア１は上レールにスライダーを介して拘束されていることから、同図のような折畳み動作をすることは不可能である。
【００１５】
図２は本発明に係る折戸の親ドア１を開いた場合を示している。このように、親ドア１は内側ではなく、外側へ旋回して開くことが出来、折戸に凭れ掛かって人が倒れた場合であっても、該親ドア１を開いて助けることが出来る。ところで、該親ドア１を外側へ旋回させるためには、上レールと切り離すことが必要であり、本発明ではスライダーから親ドア１を分離する構造としたり、又はスライダーを上レールから外す構造としている。
【００１６】
図３は親ドア１とスライダー８との連結構造を表している。スライダー８は上レール９に遊嵌して該上レール９に沿って移動することが出来ると共に、軸１０を介して親ドア１と連結している。しかし、該軸１０は親ドア１及びスライダー８に固定されておらず、親ドア上端に起立した軸１０はスライダー８の中心部に形成した穴に嵌っている。従って、軸１０はスライダー８の穴から抜くことが出来る。
【００１７】
そして親ドア上端には回転プレート１１が軸ネジ１２によって取着され、回転プレート１１の一端には係合ピン１３が係合し、従って、回転プレート１１は軸ネジ１２を中心として回転しないで固定されている。親ドア１は軸１０を中心に回転し、スライダー８のスライドと共に移動して折畳まれる。ところで、係合ピン１３はコイルバネ１４にて上方へ押上げられていることで回転プレート１１の先端係合溝１５に係合しているが、係合ピン１３は押下げられる。そして、回転プレート１１の係合溝１５から係合ピン１３は離脱することが出来る。
【００１８】
図４には折戸の上端を示しているように、(ａ)は回転プレート１１が親ドア上端に固定されている。しかし、係合ピン１３を押下げるならば、回転プレート先端の係合溝１５から外れ、この状態で親ドア１を手前に引くならば(ｂ)のように該親ドア１は僅かに傾く。スライダー８は上レール９に嵌って拘束されている為に移動することは出来ないが、親ドア１を手前に引くことで回転プレート１１は軸ネジ１２を中心として回転する。
【００１９】
このように、回転プレート１１が回転するならば、親ドア上端から起立している軸１０はスライダー８の穴から抜け落ちてしまう。図５には回転プレート１１が回転した場合を示しているように、該回転プレート１１は親ドア１に対してクロスした位置に成り、軸１０は親ドア１から外にはみ出すことに成り、その為に軸１０は回転プレート１１及びスライダー８から抜け落ちる。図６は軸１０が抜け落ちる場合を示している。
【００２０】
このように、軸１０がスライダー８から抜け落ちてしまうならば、親ドア１はスライダー８と分離され、その結果、該親ドア１は図２に示すように継手３を中心として自由に回動し、開くことが出来る。
【００２１】
図７は親ドア１とスライダー８との連結構造を表している他の具体例である。スライダー８は上レール９に遊嵌して該上レール９に沿って移動することが出来ると共に、軸１６を介して親ドア１と連結している。しかし、該軸１６は親ドア１及びスライダー８に固定されておらず、親ドア上端に起立した軸１６はスライダー８の中心部に形成した穴に嵌っている。しかし、軸１６はプレート１７に固定されている為に、前記実施例の場合のように抜くことは出来ない。
【００２２】
上記プレート１７は親ドア上端に載置され、２本のネジ１８、１８にて固定されている。そして、該ネジ１８，１８を緩めるならば、プレート１７は親ドア１から分離可能と成り、ひいては該親ドア１はスライダー８から分離される。従って、親ドア１を手前に引くことが出来、図２に示すように回動して折畳むことが可能と成る。
【００２３】
図８はさらに別の実施例である。軸２０は親ドア１に取付けられて垂直に起立し、該軸２０の上端にスライダー１９が回転自在に取付けられている。そして、軸２０はコイルバネ２１にて落下しないように支えられ、スライダー１０は上レール９に遊嵌している。そこで、スライダー１９を押下げるならば、該スライダー１９は上レール９から外れ、その状態で親ドア１を手前に引くことが出来、図２に示すように回動して開くことが出来る。
【図面の簡単な説明】
【００２４】
【図１】本発明の折戸装置の平面図で、(ａ)は折戸が折畳まれた場合、(ｂ)は折戸が伸長されている場合。
【図２】折戸の親ドアを単独で開く場合。
【図３】親ドアとスライダーの連結構造。
【図４】親ドアを開く為に回転プレートの係合溝から係合ピンを外す場合。
【図５】回転プレートが回転した場合。
【図６】スライダーから軸を抜き落とす場合。
【図７】親ドアとスライダーの連結構造。
【図８】親ドアとスライダーの連結構造。
【図９】折戸の開閉操作。
【符号の説明】
【００２５】
１  親ドア
２  子ドア
３  継手
４  軸
５  縦桟
６  ハンドル
７  ロックツマミ
８  スライダー
９  上レール
10  軸
11  回転プレート
12  軸ネジ
13  係合ピン
14  コイルバネ
15  係合溝
16  軸
17  プレート
18  ネジ
19  スライダー
20  軸
21  コイルバネ
【図１】
2006037609.tif 000003
【図２】
2006037609.tif 000004
【図３】
2006037609.tif 000005
【図４】
2006037609.tif 000006
【図５】
2006037609.tif 000007
【図６】
2006037609.tif 000008
【図７】
2006037609.tif 000009
【図８】
2006037609.tif 000010
【図９】
2006037609.tif 000011